(57)【要約】      （修正有）【課題】連続紙に形成された補正検品用画像を正確に読み取り、画像形成条件の補正や連続紙の検品を高精度に行うことが可能な画像形成システムを提供する。【解決手段】画像形成システム１００は、連続紙Ｐに画像を形成する画像形成部４０と、画像形成部４０により画像が形成された連続紙Ｐを巻き取る巻き取り装置５と、画像形成部４０により連続紙Ｐに形成された補正検品用画像を読み取るラインセンサーを有する補正検品用画像読取部８４と、連続紙Ｐに重力方向の第１弛み部分Ｐ１を形成する第１弛み形成装置３と、第１弛み部分Ｐ１の第１弛み量を検出する第１弛み量検出部８０と、補正検品用画像読取部８４における連続紙Ｐの搬送速度を変更する読取搬送部８６と、第１弛み量検出部８０により検出された第１弛み量に応じて、補正検品用画像読取部８４における連続紙Ｐの搬送速度を変更するように読取搬送部８６を制御する制御部とを備える。【選択図】図１
2015113214.tif 000002
【特許請求の範囲】
【請求項１】
連続紙に画像を形成する画像形成部と、
前記連続紙の搬送方向における前記画像形成部の下流側に設けられ、前記画像形成部により画像が形成された前記連続紙を巻き取る巻き取り部と、
前記連続紙の搬送方向における前記画像形成部の下流側かつ前記巻き取り部の上流側に設けられ、前記画像形成部により前記連続紙に形成された補正検品用画像を読み取るラインセンサーを有する補正検品用画像読取部と、
前記連続紙の搬送方向における前記画像形成部の下流側かつ前記補正検品用画像読取部の上流側に設けられ、前記連続紙に重力方向の第１弛み部分を形成する第１弛み形成部と、
前記第１弛み部分の第１弛み量を検出する第１弛み量検出部と、
前記補正検品用画像読取部における前記連続紙の搬送速度を変更する搬送速度変更部と、
前記第１弛み量検出部により検出された前記第１弛み量に応じて、前記補正検品用画像読取部における前記連続紙の搬送速度を変更するように前記搬送速度変更部を制御する制御部と、
を備えることを特徴とする画像形成システム。
【請求項２】
前記連続紙の搬送方向における前記補正検品用画像読取部の下流側かつ前記巻き取り部の上流側に設けられ、前記連続紙に重力方向の第２弛み部分を形成する第２弛み形成部を備えることを特徴とする請求項１に記載の画像形成システム。
【請求項３】
前記第２弛み部分の第２弛み量を検出する第２弛み量検出部を備え、
前記制御部は、前記第２弛み量検出部により検出された前記第２弛み量に応じて、前記巻き取り部の巻き取り速度を変更するように前記巻き取り部を制御することを特徴とする請求項２に記載の画像形成システム。
【請求項４】
前記制御部は、前記第１弛み量検出部により検出された前記第１弛み量が第１所定弛み量に達した場合、前記連続紙の搬送速度を前記画像形成部の画像形成速度より速い第１搬送速度に制御する一方、前記第１弛み量が前記第１所定弛み量より少ない第２所定弛み量に達した場合、前記画像形成速度より遅い第２搬送速度に制御することを特徴とする請求項１〜３の何れか１項に記載の画像形成システム。
【請求項５】
前記補正検品用画像は、複数種類の補正検品用画像からなり、
前記制御部は、前記連続紙の搬送速度が前記第１搬送速度である場合に、前記複数種類の補正検品用画像の一部が前記補正検品用画像読取部により読み取られるように、当該一部の補正検品用画像を前記画像形成部に形成させる一方、前記連続紙の搬送速度が前記第２搬送速度である場合に、前記一部以外の補正検品用画像が前記補正検品用画像読取部により読み取られるように、当該一部以外の補正検品用画像を前記画像形成部に形成させることを特徴とする請求項４に記載の画像形成システム。
【請求項６】
前記制御部は、前記連続紙の搬送速度が前記第２搬送速度である場合に限り、前記補正検品用画像が前記補正検品用画像読取部により読み取られるように、当該補正検品用画像を前記画像形成部に形成させることを特徴とする請求項４に記載の画像形成システム。
【請求項７】
前記第１弛み形成部により前記第１弛み部分を形成された前記連続紙に向けて冷却風を送風することにより、当該連続紙の冷却を行う冷却部を備えることを特徴とする請求項１〜６の何れか１項に記載の画像形成システム。
【請求項８】
前記制御部は、前記第１弛み量検出部により検出された前記第１弛み量に応じて、前記冷却風の送風量を変更するように前記冷却部を制御することを特徴とする請求項７に記載の画像形成システム。
【請求項９】
前記制御部は、前記第１弛み量検出部により検出された前記第１弛み量が所定弛み量より少ない場合に前記冷却風の送風量を第１送風量に設定する一方、当該第１弛み量が前記所定弛み量より多い場合に前記冷却風の送風量を前記第１送風量より少ない第２送風量に設定することを特徴とする請求項８に記載の画像形成システム。
【請求項１０】
前記制御部は、前記第１弛み量検出部により検出された前記第１弛み量の変動に基づいて前記連続紙に用紙暴れが発生しているか否かについて判定し、当該用紙暴れが発生していないと判定した場合に前記冷却風の送風量を第１送風量に設定する一方、当該用紙暴れが発生していると判定した場合に前記冷却風の送風量を前記第１送風量より少ない第２送風量に設定することを特徴とする請求項８に記載の画像形成システム。
【発明の詳細な説明】
【技術分野】
【０００１】
本発明は、画像形成システムに関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体（像担持体）へ現像装置よりトナーを供給することにより静電潜像を可視化してトナー像を形成する。さらに、このトナー像を直接又は間接的に用紙に転写させた後、加熱、加圧して定着させることにより用紙に画像を形成する。画像形成装置では、通常、１枚毎に分離した用紙（「単葉紙」とも言う）に画像を形成するが、連帳ロール紙や折り畳み紙等の連続した用紙（以下、「連続紙」と言う）に画像を形成することも可能である。
【０００３】
また、画像形成装置により連続紙に画像を形成する際、画像の濃度、階調、位置ズレ等をモニタするための補正用画像、または、連続紙の印刷状態を検品するための検品用画像（以下、補正用画像または検品用画像を単に「補正検品用画像」と言う）を連続紙の任意位置に形成し、用紙搬送方向における画像形成装置の下流側に設けられた画像読取装置（例えば、ラインセンサー）によって読み取る画像形成システムが知られている。補正検品用画像の読み取り結果に応じて、画像形成条件の補正や連続紙の検品が行われる。
【０００４】
なお、連続紙に画像を形成する場合における当該連続紙の搬送技術として、画像形成部と、画像形成部により画像が形成された連続紙を巻き取る巻き取り部との間に、画像形成部と巻き取り部との間に生じる連続紙の搬送速度差を吸収するバッファー部を設ける技術が提案されている（例えば、特許文献１を参照）。
【先行技術文献】
【特許文献】
【０００５】
【特許文献１】特開２０００−２５９９６号公報
【発明の概要】
【発明が解決しようとする課題】
【０００６】
しかしながら、上記画像形成システムでは、画像形成装置における画像形成速度（画像形成装置における連続紙の搬送速度に相当）と画像読取装置における読取速度（画像読取装置における連続紙の搬送速度に相当）とが異なる場合、その搬送速度差が原因で連続紙のたわみや引っ張り合いが発生し、画像読取装置において連続紙に形成された補正検品用画像を正確に読み取ることができないという問題があった。また、色補正を行うための補正検品用画像を連続紙に形成した場合に、加熱処理（定着処理）の直後に当該補正検品用画像を読み取ると、その読み取った補正検品用画像の色味が本来のものと異なり、画像読取装置において補正検品用画像の色を正確に読み取ることができない場合があるという問題があった。以上のように、画像読取装置において補正検品用画像を正確に読み取れないと、その後、画像形成条件の補正や連続紙の検品を高精度に行うことはできない。
【０００７】
なお、上記問題に対して、カメラ等の画像読取部を用いて補正検品用画像を高解像度に読み取ることが考えられるが、読み取られた補正検品用画像の画像処理が複雑になったり、当該画像読取部のコストが大幅にアップしたりするという別の問題が生じてしまう。
【０００８】
本発明の目的は、連続紙に形成された補正検品用画像を正確に読み取り、画像形成条件の補正や連続紙の検品を高精度に行うことが可能な画像形成システムを提供することである。
【課題を解決するための手段】
【０００９】
本発明に係る画像形成システムは、
連続紙に画像を形成する画像形成部と、
前記連続紙の搬送方向における前記画像形成部の下流側に設けられ、前記画像形成部により画像が形成された前記連続紙を巻き取る巻き取り部と、
前記連続紙の搬送方向における前記画像形成部の下流側かつ前記巻き取り部の上流側に設けられ、前記画像形成部により前記連続紙に形成された補正検品用画像を読み取るラインセンサーを有する補正検品用画像読取部と、
前記連続紙の搬送方向における前記画像形成部の下流側かつ前記補正検品用画像読取部の上流側に設けられ、前記連続紙に重力方向の第１弛み部分を形成する第１弛み形成部と、
前記第１弛み部分の第１弛み量を検出する第１弛み量検出部と、
前記補正検品用画像読取部における前記連続紙の搬送速度を変更する搬送速度変更部と、
前記第１弛み量検出部により検出された前記第１弛み量に応じて、前記補正検品用画像読取部における前記連続紙の搬送速度を変更するように前記搬送速度変更部を制御する制御部と、
を備えることを特徴とする。
【発明の効果】
【００１０】
本発明によれば、第１弛み形成部により連続紙に第１弛み部分が形成されることにより、画像形成部と補正検品用画像読取部との間に生じる搬送速度差が吸収されるため、その搬送速度差に起因する連続紙のたわみや引っ張り合いは発生せず、補正検品用画像読取部において連続紙に形成された補正検品用画像を正確に読み取ることができる。また、加熱処理（定着処理）が施された連続紙は、第１弛み形成部により搬送される間に自然冷却されるため、色補正を行うための補正検品用画像が形成された場合にも、当該補正検品用画像の色味が変化することを防止し、補正検品用画像読取部において補正検品用画像の色を正確に読み取ることができる。以上より、連続紙に形成された補正検品用画像を正確に読み取り、画像形成条件の補正や連続紙の検品を高精度に行うことができる。
【図面の簡単な説明】
【００１１】
【図１】本実施の形態に係る画像形成システムの全体構成を概略的に示す図である。
【図２】本実施の形態に係る画像形成装置の制御系の主要部を示す図である。
【図３】連続紙に形成される補正検品用画像の例を示す図である。
【図４】本実施の形態に係る画像形成システムの搬送制御動作例を示すフローチャートである。
【図５】本実施の形態に係る画像形成システムの送風制御動作例を示すフローチャートである。
【図６】第１弛み形成装置における連続紙の第１弛み量を説明する図である。
【図７】連続紙の搬送速度、第１弛み量、冷却風の送風量の対応関係を示す図である。
【図８】連続紙の搬送速度、第１弛み量、冷却風の送風量の対応関係を示す図である。
【発明を実施するための形態】
【００１２】
以下、本実施の形態を図面に基づいて詳細に説明する。
［画像形成システム１００の構成］
図１は、本発明の実施の形態に係る画像形成システム１００の全体構成を概略的に示す図である。図２は、本実施の形態に係る画像形成装置２の制御系の主要部を示す。画像形成システム１００は、連続紙Ｐまたは用紙Ｓを記録媒体として使用し、当該連続紙Ｐ上または用紙Ｓ上に画像を形成するシステムである。
【００１３】
図１に示すように、画像形成システム１００は、連続紙Ｐの搬送方向（以下、用紙搬送方向とも言う）に沿って上流側から、給紙装置１、画像形成装置２、第１弛み形成装置３（第１弛み形成部）、第２弛み形成装置４（第２弛み形成部）および巻き取り装置５（巻き取り部）が接続されて構成される。給紙装置１、第１弛み形成装置３、第２弛み形成装置４および巻き取り装置５は、連続紙Ｐ上に画像を形成する場合に使用される。なお、本実施の形態では、画像形成装置２がカラー画像形成装置である例について説明するが、画像形成装置２はモノクロ画像形成装置であっても良い。
【００１４】
給紙装置１は、連続紙Ｐを画像形成装置２へ給紙する装置である。給紙装置１の筐体内では、図１に示すように、ロール状の連続紙Ｐが支持軸に巻回されて回転可能に保持されている。給紙装置１は、支持軸に巻回された連続紙Ｐを、複数のローラー（例えば、繰り出しローラー、給紙ローラー）を経由して、一定の速度で外部へ搬送する。給紙装置１の給紙動作は、画像形成装置２が備える制御部１０１によって制御される。なお、給紙装置１において、連続紙Ｐは、必ずしもロール状に保持されている必要はなく、折り畳まれて保持されていても良い。また、図１には、一の連続紙Ｐのみが示されているが、給紙装置１の筐体内において複数の連続紙が保持されていても良い。
【００１５】
画像形成装置２は、電子写真プロセス技術を利用した中間転写方式のカラー画像形成装置である。すなわち、画像形成装置２は、感光体ドラム４１３上に形成されたＹ（イエロー）、Ｍ（マゼンタ）、Ｃ（シアン）、Ｋ（ブラック）の各色トナー像を中間転写ベルト４２１に転写（一次転写）し、中間転写ベルト４２１上で４色のトナー像を重ね合わせた後、給紙装置１から給紙された連続紙Ｐまたは用紙Ｓに転写（二次転写）することにより、画像を形成する。
【００１６】
また、画像形成装置２には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１７】
図２に示すように、画像形成装置２は、画像読取部１０、操作表示部２０、画像処理部３０、画像形成部４０、用紙搬送部５０、定着部６０、及び制御部１０１を備える。
【００１８】
制御部１０１は、ＣＰＵ（Central  Processing  Unit）１０２、ＲＯＭ（Read  Only  Memory）１０３、ＲＡＭ（Random  Access  Memory）１０４等を備える。ＣＰＵ１０２は、ＲＯＭ１０３から処理内容に応じたプログラムを読み出してＲＡＭ１０４に展開し、展開したプログラムと協働して画像形成装置２の各ブロック等の動作を集中制御する。このとき、記憶部７２に格納されている各種データが参照される。記憶部７２は、例えば不揮発性の半導体メモリ（いわゆるフラッシュメモリ）やハードディスクドライブで構成される。
【００１９】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信された画像データを受信し、この画像データ（入力画像データ）に基づいて連続紙Ｐまたは用紙Ｓに画像を形成させる。通信部７１は、例えばＬＡＮカード等の通信制御カードで構成される。
【００２０】
画像読取部１０は、ＡＤＦ（Auto  Document  Feeder）と称される自動原稿給紙装置１１及び原稿画像走査装置１２（スキャナー）等を備えて構成される。
【００２１】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２２】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２３】
操作表示部２０は、例えばタッチパネル付の液晶ディスプレイ（ＬＣＤ：Liquid Crystal Display）で構成され、表示部２１及び操作部２２として機能する。表示部２１は、制御部１０１から入力される表示制御信号に従って、各種操作画面、画像の状態、各機能の動作状況等の表示を行う。操作部２２は、テンキー、スタートキー等の各種操作キーを備え、ユーザーによる各種入力操作を受け付けて、操作信号を制御部１０１に出力する。
【００２４】
画像処理部３０は、入力画像データに対して、初期設定又はユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２５】
画像形成部４０は、入力画像データに基づいて、Ｙ成分、Ｍ成分、Ｃ成分、Ｋ成分の各有色トナーによる画像、または後述する補正検品用画像を形成するための画像形成ユニット４１Ｙ、４１Ｍ、４１Ｃ、４１Ｋ、中間転写ユニット４２等を備える。
【００２６】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２７】
画像形成ユニット４１は、露光装置４１１、現像装置４１２、感光体ドラム４１３、帯電装置４１４、及びドラムクリーニング装置４１５等を備える。
【００２８】
感光体ドラム４１３は、例えばドラム径が８０［ｍｍ］のアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００２９】
制御部１０１が感光体ドラム４１３を回転させる駆動モーター（図示略）に供給される駆動電流を制御することにより、感光体ドラム４１３は一定の周速度で回転する。
【００３０】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成されることとなる。
【００３１】
現像装置４１２は、二成分現像方式の現像装置であり、感光体ドラム４１３の表面に各色成分のトナーを付着させることにより静電潜像を可視化してトナー像を形成する。
【００３２】
ドラムクリーニング装置４１５は、感光体ドラム４１３の表面に摺接されるドラムクリーニングブレード等を有し、一次転写後に感光体ドラム４１３の表面に残存する転写残トナーを除去する。
【００３３】
中間転写ユニット４２は、中間転写ベルト４２１、一次転写ローラー４２２、複数の支持ローラー４２３、二次転写ローラー４２４、及びベルトクリーニング装置４２６等を備える。
【００３４】
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３５】
中間転写ベルト４２１は、導電性および弾性を有するベルトであり、表面に体積抵抗率が８〜１１［ｌｏｇΩ・ｃｍ］である高抵抗層を有する。中間転写ベルト４２１は、制御部１０１からの制御信号によって回転駆動される。なお、中間転写ベルト４２１については、導電性および弾性を有するものであれば、材質、厚さおよび硬度を限定しない。
【００３６】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００３７】
二次転写ローラー４２４は、駆動ローラー４２３Ａのベルト走行方向下流側に配置されるローラー４２３Ｂ（以下「バックアップローラー４２３Ｂ」と称する）に対向して、中間転写ベルト４２１の外周面側に配置される。中間転写ベルト４２１を挟んで、二次転写ローラー４２４がバックアップローラー４２３Ｂに圧接されることにより、中間転写ベルト４２１から連続紙Ｐまたは用紙Ｓへトナー像を転写するための二次転写ニップが形成される。
【００３８】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
【００３９】
その後、連続紙Ｐまたは用紙Ｓが二次転写ニップを通過する際、中間転写ベルト４２１上のトナー像が連続紙Ｐまたは用紙Ｓに二次転写される。具体的には、二次転写ローラー４２４に二次転写バイアスを印加し、連続紙Ｐまたは用紙Ｓの裏面側（二次転写ローラー４２４と当接する側）にトナーと逆極性の電荷を付与することにより、トナー像は連続紙Ｐまたは用紙Ｓに静電的に転写される。トナー像が転写された連続紙Ｐまたは用紙Ｓは定着部６０に向けて搬送される。
【００４０】
ベルトクリーニング装置４２６は、二次転写後に中間転写ベルト４２１の表面に残留する転写残トナーを除去する。なお、二次転写ローラー４２４に代えて、二次転写ローラーを含む複数の支持ローラーに、二次転写ベルトがループ状に張架された構成（いわゆるベルト式の二次転写ユニット）を採用しても良い。
【００４１】
定着部６０は、連続紙Ｐまたは用紙Ｓの定着面（トナー像が形成されている面）側に配置される定着面側部材を有する上側定着部６０Ａ、連続紙Ｐまたは用紙Ｓの裏面（定着面の反対の面）側に配置される裏面側支持部材を有する下側定着部６０Ｂ、及び加熱源６０Ｃ等を備える。定着面側部材に裏面側支持部材が圧接されることにより、連続紙Ｐまたは用紙Ｓを狭持して搬送する定着ニップが形成される。
【００４２】
定着部６０は、トナー像が二次転写され、搬送されてきた連続紙Ｐまたは用紙Ｓを定着ニップで加熱、加圧することにより、連続紙Ｐまたは用紙Ｓにトナー像を定着させる。定着部６０は、定着器Ｆ内にユニットとして配置される。また、定着器Ｆには、エアを吹き付けることにより、定着面側部材又は裏面側支持部材から連続紙Ｐまたは用紙Ｓを分離させるエア分離ユニットが配置されていても良い。
【００４３】
用紙搬送部５０は、給紙部５１、排紙部５２、及び搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。搬送経路部５３は、レジストローラー対５３ａ等の複数の搬送ローラー対を有する。
【００４４】
給紙トレイユニット５１ａ〜５１ｃに収容されている用紙Ｓは、最上部から一枚ずつ送出され、搬送経路部５３により画像形成部４０に搬送される。このとき、レジストローラー対５３ａが配設されたレジストローラー部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着部６０において定着工程が施される。また、給紙装置１から画像形成装置２へ給紙された連続紙Ｐは、搬送経路部５３により画像形成部４０に搬送される。そして、画像形成部４０において、中間転写ベルト４２１のトナー像が連続紙Ｐの一方の面に一括して二次転写され、定着部６０において定着工程が施される。画像形成された連続紙Ｐまたは用紙Ｓは、排紙ローラー５２ａを備えた排紙部５２により機外に排紙される。
【００４５】
第１弛み形成装置３は、連続紙Ｐの搬送方向において、画像形成装置２の下流側、かつ、第２弛み形成装置４の上流側に設置される。第１弛み形成装置３は、画像形成装置２から搬送された連続紙Ｐを第２弛み形成装置４へ搬送する。第１弛み形成装置３は、画像形成装置２における画像形成速度（連続紙Ｐの搬送速度に相当）と、後述する補正検品用画像読取部８４における読取速度（連続紙Ｐの搬送速度に相当）との搬送速度差を吸収するために、連続紙Ｐに弛み部分Ｐ１を形成して保持する。
【００４６】
第１弛み形成装置３の筐体内には、距離センサーである第１弛み量検出部８０が設けられている。第１弛み量検出部８０は、連続紙Ｐの搬送方向と直交する重力方向において、第１弛み量検出部８０から連続紙Ｐの弛み部分Ｐ１における最下面位置Ｐ２までの距離を第１弛み量として検出する。より具体的には、第１弛み量検出部８０は、図示しない発光部および受光部を備えている。第１弛み形成装置３の筐体内における第１弛み量検出部８０と連続紙Ｐとの位置関係は、発光部から発せられた光が連続紙Ｐの弛み部分Ｐ１の上面位置（最下面位置Ｐ２）に反射して受光部に戻るような位置関係とされる。第１弛み量検出部８０は、受光部内の受光素子のどの位置に反射光が戻ってきたかによって、第１弛み量検出部８０から連続紙Ｐの弛み部分Ｐ１における最下面位置Ｐ２までの距離（第１弛み量）を検出する。第１弛み量検出部８０は、検出した第１弛み量を画像形成装置２の制御部１０１に送信する。
【００４７】
また、第１弛み形成装置３の筐体内において、第１弛み量検出部８０の上方に冷却部８２が設けられている。冷却部８２は、連続紙Ｐの画像形成面側に向けて冷却風を送風することにより、第１弛み形成装置３により第１弛み部分Ｐ１を形成された連続紙Ｐの冷却を行う。冷却部８２の送風動作は、画像形成装置２が備える制御部１０１によって制御される。
【００４８】
連続紙Ｐの搬送方向における第１弛み形成装置３の下流側かつ第２弛み形成装置４の上流側には、補正検品用画像読取部８４および読取搬送部８６（本発明の「搬送速度変更部」に対応）が設けられる。補正検品用画像読取部８４は、カラーラインセンサーであり、連続紙Ｐの搬送方向と直交する方向（主走査方向）において、画像形成システム１００で使用される連続紙Ｐの最大幅以上の幅を有し、連続紙Ｐに形成された補正検品用画像を主走査方向および副走査方向の２次元で読み取る。
【００４９】
補正検品用画像読取部８４は、連続紙Ｐの搬送方向と直交する方向に複数の読取素子がライン状に配列されており、各読取素子は、連続紙Ｐ上の画像から反射された反射光に応じた出力値を画像形成装置２の制御部１０１に送信する。補正検品用画像読取部８４は、赤、緑、青の各色チャンネルのラインセンサーが平行に配列されて構成されている。赤色チャンネルのラインセンサーは、赤色のフィルタを備え、光の強さに応じた出力値（Ｒ信号）を出力する。緑色チャンネルのラインセンサーは、緑色のフィルタを備え、光の強さに応じた出力値（Ｇ信号）を出力する。青色チャンネルのラインセンサーは、青色のフィルタを備え、光の強さに応じた出力値（Ｂ信号）を出力する。
【００５０】
補正検品用画像は、例えばＡ４用紙１０００枚分に相当する長さ分の画像形成処理が連続紙Ｐに行われる度に、制御部１０１の制御を受けた画像形成部４０によって連続紙Ｐの余白部分（両端部）に形成される。補正検品用画像としては例えば図３に示すように、色補正用のパッチ画像Ｉ（コントロールストリップ）、画像位置の片寄りを補正するための基準画像Ｔ（トンボ画像）、連続紙Ｐの検品を行うためのバーコード画像Ｂ等が挙げられる。
【００５１】
読取搬送部８６は、図１に示すように２つの搬送ローラー対を有し、第１弛み形成装置３から搬送された連続紙Ｐを第２弛み形成装置４へ搬送する。読取搬送部８６の搬送動作は、画像形成装置２が備える制御部１０１によって制御される。ただし、補正検品用画像読取部８４により補正検品用画像が読み取られる際、読取搬送部８６の搬送速度が途中で変動すると、補正検品用画像の読み取り領域がずれることによる読み取り誤差が非常に大きくなってしまう。そこで、本実施の形態では、補正検品用画像読取部８４により補正検品用画像が読み取られる間については、制御部１０１は、連続紙Ｐの搬送速度が一定速になるように読取搬送部８６を制御する。
【００５２】
第２弛み形成装置４は、連続紙Ｐの搬送方向において、補正検品用画像読取部８４の下流側、かつ、巻き取り装置５の上流側に設置される。第２弛み形成装置４は、読取搬送部８６から搬送された連続紙Ｐを巻き取り装置５へ搬送する。第２弛み形成装置４は、補正検品用画像読取部８４における読取速度（読取搬送部８６による連続紙Ｐの搬送速度に相当）と、巻き取り装置５における巻き取り速度（連続紙Ｐの搬送速度に相当）との搬送速度差を吸収するために、連続紙Ｐに弛み部分Ｐ３を形成して保持する。第２弛み形成装置４を設けたことにより、巻き取り装置５の巻き取り動作によって連続紙Ｐが引っ張られることを防止し、補正検品用画像読取部８４において連続紙Ｐに形成された補正検品用画像を正確に読み取ることができる。
【００５３】
第２弛み形成装置４の筐体内には、距離センサーである第２弛み量検出部８８が設けられている。第２弛み量検出部８８は、連続紙Ｐの重力方向において、第２弛み量検出部８８から連続紙Ｐの弛み部分Ｐ３における最下面位置Ｐ４までの距離を第２弛み量として検出する。より具体的には、第２弛み量検出部８８は、図示しない発光部および受光部を備えている。第２弛み形成装置４の筐体内における第２弛み量検出部８８と連続紙Ｐとの位置関係は、発光部から発せられた光が連続紙Ｐの弛み部分Ｐ３の上面位置（最下面位置Ｐ４）に反射して受光部に戻るような位置関係とされる。第２弛み量検出部８８は、受光部内の受光素子のどの位置に反射光が戻ってきたかによって、第２弛み量検出部８８から最下面位置Ｐ４までの距離（第２弛み量）を検出する。第２弛み量検出部８８は、検出した第２弛み量を画像形成装置２の制御部１０１に送信する。
【００５４】
巻き取り装置５は、第２弛み形成装置４から搬送されてきた連続紙Ｐを巻き取る装置である。巻き取り装置５の筐体内では、例えば、図１に示すように、連続紙Ｐが支持軸に巻回されてロール状に保持される。そのために、巻き取り装置５は、第２弛み形成装置４から搬送されてきた連続紙Ｐを、複数のローラー（例えば、繰り出しローラー、排紙ローラー）を経由して、一定の速度で支持軸に巻き取る。巻き取り装置５の巻き取り動作は、画像形成装置２が備える制御部１０１によって制御される。
【００５５】
ところで、巻き取り装置５における巻き取り速度（連続紙Ｐの搬送速度に相当）は巻き取り装置５に巻き取られた連続紙Ｐの外径に応じて変動し、ひいては第２弛み形成装置４における連続紙Ｐの第２弛み量が変動する。そのため、制御部１０１は、第２弛み形成装置４における連続紙Ｐの第２弛み量がなるべく一定となるように、第２弛み量検出部８８により検出された第２弛み量に応じて、巻き取り装置５による連続紙Ｐの巻き取り速度を制御する。例えば、連続紙Ｐの外径が増大すると巻き取り装置５における巻き取り速度が増大し、第２弛み形成装置４における第２弛み量が減少するため、連続紙Ｐが巻回される支持軸の回転速度を減少させる。
【００５６】
制御部１０１は、補正検品用画像読取部８４の読み取り結果に応じて、画像形成部４０による画像形成条件を補正する。例えば、制御部１０１は、画像データに基づき形成される画像の色合いを好ましい色合い（再現性の高い色合い）とするため、補正検品用画像読取部８４によるパッチ画像Ｉの読み取り結果からパッチ画像ＩのＲＧＢ値を算出し、その算出結果に基づいて画像形成部４０による画像形成条件を補正する（色補正）。また、制御部１０１は、補正検品用画像読取部８４による基準画像Ｔの読み取り結果に応じて、連続紙Ｐの主走査方向における用紙エッジ部と基準画像Ｔとの間の距離を求める。そして、制御部１０１は、その求めた距離から、連続紙Ｐの主走査方向における画像の位置ズレ量を算出し、当該算出した位置ズレ量に基づいて画像形成部４０による画像形成条件（主走査方向の書き出しタイミング）を補正する（片寄り補正）。また、制御部１０１は、補正検品用画像読取部８４の読み取り結果に応じて、連続紙Ｐの検品を行う。具体的には、制御部１０１は、連続紙Ｐ上に形成された画像の欠損および汚れ、当該連続紙Ｐに生じた皺等を検出する。
【００５７】
図４は、本実施の形態に係る画像形成システム１００の搬送制御動作例を示すフローチャートである。ステップＳ１００の処理は、画像形成装置２の操作部２２を介してユーザーにより、印刷ジョブが設定され、その設定に続いてプリントボタンが押下されることにより開始する。
【００５８】
まず、制御部１０１は、読取搬送部８６を制御し、連続紙Ｐの搬送速度を画像形成速度Ｖより例えば５［％］遅いＶ１（本発明の「第２搬送速度」に対応）に設定する（ステップＳ１００）。これにより、画像形成装置２と読取搬送部８６との間の搬送速度差に起因して、第１弛み形成装置３における連続紙Ｐの第１弛み量はＬ１（通常弛み量）から増大する。なお、制御部１０１は、連続紙Ｐの搬送速度がＶ１である場合に、補正検品用画像が補正検品用画像読取部８４により読み取られるように、補正検品用画像を画像形成部４０に形成させる。
【００５９】
次に、制御部１０１は、第１弛み量検出部８０の検出結果を参照し、連続紙Ｐの第１弛み量がＬ２（本発明の「第１所定弛み量」に対応）に達したか否かについて判定する（ステップＳ１２０）。この判定の結果、連続紙Ｐの第１弛み量がＬ２に達していない場合（ステップＳ１２０、ＮＯ）、処理はステップＳ１２０の前に戻る。
【００６０】
一方、連続紙Ｐの第１弛み量がＬ２に達した場合（ステップＳ１２０、ＹＥＳ）、制御部１０１は、読取搬送部８６を制御し、連続紙Ｐの搬送速度を画像形成速度Ｖより例えば５［％］速いＶ２（本発明の「第１搬送速度」に対応）に設定する（ステップＳ１４０）。これにより、画像形成装置２と読取搬送部８６との間の搬送速度差に起因して、第１弛み形成装置３における連続紙Ｐの第１弛み量はＬ２からＬ１に向かって減少する。なお、制御部１０１は、連続紙Ｐの搬送速度がＶ２である場合にも、補正検品用画像が補正検品用画像読取部８４により読み取られるように、補正検品用画像を画像形成部４０に形成させる。
【００６１】
次に、制御部１０１は、第１弛み量検出部８０の検出結果を参照し、連続紙Ｐの第１弛み量がＬ１（本発明の「第２所定弛み量」に対応）に達したか否かについて判定する（ステップＳ１６０）。この判定の結果、連続紙Ｐの第１弛み量がＬ１に達していない場合（ステップＳ１６０、ＮＯ）、処理はステップＳ１６０の前に戻る。一方、連続紙Ｐの第１弛み量がＬ１に達した場合（ステップＳ１６０、ＹＥＳ）、処理はステップＳ１００の前に戻る。
【００６２】
なお、図４のフローチャートでは、制御部１０１は、連続紙Ｐの搬送速度がＶ１またはＶ２である場合に、補正検品用画像を画像形成部４０に形成させる例について説明したが、本発明はこれに限定されない。例えば、連続紙Ｐの搬送速度がＶ１である場合に、補正検品用画像として基準画像Ｔ、バーコード画像Ｂを画像形成部４０に形成させる一方、連続紙Ｐの搬送速度がＶ２である場合に、補正検品用画像としてパッチ画像Ｉを画像形成部４０に形成させても良い。連続紙Ｐの搬送速度がＶ２である場合、基準画像Ｔ、バーコード画像Ｂの読み取り領域は小さいため、補正検品用画像読取部８４において基準画像Ｔ、バーコード画像Ｂを正確に読み取れない虞がある一方、パッチ画像Ｉの読み取り領域は大きいため、補正検品用画像読取部８４においてパッチ画像Ｉを正確に読み取れない虞がないからである。
【００６３】
また、連続紙Ｐの搬送速度がＶ１である場合に限り、補正検品用画像として基準画像Ｔ、バーコード画像Ｂ、パッチ画像Ｉを画像形成部４０に形成させても良い。これにより、連続紙Ｐの搬送方向における補正検品用画像読取部８４の読取解像度を増大させることができる。
【００６４】
図５は、本実施の形態に係る画像形成システム１００の送風制御動作例を示すフローチャートである。ステップＳ２００の処理は、図４のフローチャートにおけるステップＳ１００の処理と同じタイミングで開始される。すなわち、ステップＳ２００の処理は、画像形成装置２の操作部２２を介してユーザーにより、印刷ジョブが設定され、その設定に続いてプリントボタンが押下されることにより開始する。
【００６５】
ここで、送風制御動作は、色補正を行うための補正検品用画像（パッチ画像Ｉ）を連続紙Ｐに形成した場合に、加熱処理（定着処理）の直後に当該補正検品用画像を読み取った結果、その読み取った補正検品用画像の色味が本来のものと異なってしまうことを確実に防止するために行われる。送風制御動作を行うことによって、補正検品用画像読取部８４において補正検品用画像の色を正確に読み取ることができる。
【００６６】
まず、制御部１０１は、冷却部８２を制御し、冷却風の送風量をＦ２（本発明の「第１送風量」に対応）に設定する（ステップＳ２００）。次に、制御部１０１は、第１弛み量検出部８０の検出結果を参照し、連続紙Ｐの第１弛み量がＬｘ（本発明の「所定弛み量」に対応）以上に達したか否かについて判定する（ステップＳ２２０）。ここで、第１弛み量Ｌｘは、図６に示すように、図４のフローチャートで説明した第１弛み量Ｌ１より多く、第１弛み量Ｌ２より少ない弛み量である。この判定の結果、連続紙Ｐの第１弛み量がＬｘ以上に達した場合（ステップＳ２２０、ＹＥＳ）、制御部１０１は、冷却部８２を制御し、冷却風の送風量をＦ２より少ない送風量であるＦ１（本発明の「第２送風量」に対応）に設定する（ステップＳ２４０）。その後、処理はステップＳ２２０の前に戻る。
【００６７】
連続紙Ｐの第１弛み量がＬｘ以上に達した場合、冷却風の送風量をＦ１に設定するのは、次の理由による。すなわち、連続紙Ｐの第１弛み量が増大していくに従って、連続紙Ｐに用紙暴れが発生する可能性が高まるため、その用紙暴れが実際に発生するのを事前に防止するためである。用紙暴れの発生状態は、連続紙Ｐの用紙厚の違い、給紙装置１の支持軸に巻回される連続紙Ｐの外側と内側の違い、さらに支持軸に巻回される連続紙Ｐのカール量の違いによっても異なる。
【００６８】
一方、連続紙Ｐの第１弛み量がＬｘ以上に達していない場合（ステップＳ２２０、ＮＯ）、制御部１０１は、冷却部８２を制御し、冷却風の送風量をＦ１に設定する（ステップＳ２６０）。その後、処理はステップＳ２２０の前に戻る。
【００６９】
図７は、図４，５のフローチャートにおける各処理が実行されるまでの連続紙Ｐの搬送速度、第１弛み量、冷却風の送風量の対応関係を時系列で示す図である。
【００７０】
なお、図５のフローチャートでは、冷却風の送風量をＦ１，Ｆ２の２段階で切り替える例について説明したが、３段階以上で切り替えても良い。また、用紙暴れが発生する可能性が高まったことを連続紙Ｐの第１弛み量により検知して冷却風の送風量を切り替える例について説明したが、実際に用紙暴れが発生していることを、所定時間における連続紙Ｐの第１弛み量の変動に応じて検知して冷却風の送風量をＦ２からＦ１（＜Ｆ２）に切り替えても良い。第１弛み量の検出値は、画像形成装置２と補正検品用画像読取部８４との間における搬送速度差で変化するため、短時間で検出値が大きく変化することはない。しかし、この検出値が短時間で大きく変化する場合は、実際に用紙暴れが発生していると考えられる。図８は、実際に用紙暴れが発生していることを第１弛み量の変動に応じて検知して冷却風の送風量を切り替える場合において、連続紙Ｐの搬送速度、第１弛み量、冷却風の送風量の対応関係を時系列で示す図である。図８に示すように、制御部１０１は、第１弛み量の変動が発生したことを検知して冷却風の送風量をＦ２からＦ１に切り替えた後、第１弛み量の変動が収まったことを検知して冷却風の送風量をＦ１からＦ２に切り替える。
【００７１】
［本実施の形態における効果］
以上詳しく説明したように、本実施の形態では、画像形成システム１００は、連続紙Ｐに画像を形成する画像形成部４０と、画像形成部４０により画像が形成された連続紙Ｐを巻き取る巻き取り装置５と、画像形成部４０により連続紙Ｐに形成された補正検品用画像を読み取るラインセンサーを有する補正検品用画像読取部８４と、連続紙Ｐに重力方向の第１弛み部分Ｐ１を形成する第１弛み形成装置３と、第１弛み部分Ｐ１の第１弛み量を検出する第１弛み量検出部８０と、補正検品用画像読取部８４における連続紙Ｐの搬送速度を変更する読取搬送部８６と、第１弛み量検出部８０により検出された第１弛み量に応じて、補正検品用画像読取部８４における連続紙Ｐの搬送速度を変更するように読取搬送部８６を制御する制御部１０１とを備える。
【００７２】
このように構成した本実施の形態によれば、第１弛み形成装置３により連続紙Ｐに弛み部分が形成されることにより、画像形成部４０と補正検品用画像読取部８４との間に生じる搬送速度差が吸収されるため、その搬送速度差に起因する連続紙Ｐのたわみや引っ張り合いは発生せず、補正検品用画像読取部８４において連続紙Ｐに形成された補正検品用画像を正確に読み取ることができる。また、加熱処理（定着処理）が施された連続紙Ｐは、第１弛み形成装置３により搬送される間に自然冷却されるため、色補正を行うための補正検品用画像が形成された場合にも、当該補正検品用画像の色味が変化することを防止し、補正検品用画像読取部８４において補正検品用画像の色を正確に読み取ることができる。以上より、連続紙Ｐに形成された補正検品用画像を正確に読み取り、画像形成条件の補正や連続紙Ｐの検品を高精度に行うことができる。
【００７３】
なお、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７４】
１  給紙装置
２  画像形成装置
３  第１弛み形成装置
４  第２弛み形成装置
５  巻き取り装置
１０  画像読取部
２０  操作表示部
２１  表示部
２２  操作部
３０  画像処理部
４０  画像形成部
５０  用紙搬送部
６０  定着部
７１  通信部
７２  記憶部
８０  第１弛み量検出部
８２  冷却部
８４  補正検品用画像読取部
８６  読取搬送部
８８  第２弛み量検出部
１００  画像形成システム
１０１  制御部
１０２  ＣＰＵ
１０３  ＲＯＭ
１０４  ＲＡＭ
Ｉ  パッチ画像
Ｔ  基準画像
Ｂ  バーコード画像
【図１】
2015113214.tif 000003
【図２】
2015113214.tif 000004
【図４】
2015113214.tif 000005
【図５】
2015113214.tif 000006
【図６】
2015113214.tif 000007
【図７】
2015113214.tif 000008
【図８】
2015113214.tif 000009
【図３】
2015113214.tif 000010